(57)【要約】      （修正有）【課題】適切な人物に対して画像を配信することを可能とする情報処理装置、情報処理方法及び情報処理プログラムを提供する。【解決手段】対象人物に対して画像を配信するためのサーバ装置３００は、対象人物の顔に関する顔情報を記憶する記憶部３３０と、撮像装置が人物を撮像して得た撮像画像と撮像装置の位置に関する第１位置関連情報とを対応付けて管理する管理部３２１と、対象人物が所持する端末装置の位置に関する第２位置関連情報を端末装置から取得する取得部３２２と、第１位置関連情報と第２位置関連情報との比較の結果と、撮像画像に写った人物の顔と顔情報との比較の結果とに基づいて、撮像画像に写った人物が対象人物であるか否かを判定する判定部３２３とを備える。【選択図】図４
2020101984.tif 000002
【特許請求の範囲】
【請求項１】
対象人物に対して画像を配信するための情報処理装置であって、
前記対象人物の顔に関する顔情報を記憶する記憶部と、
撮像装置が人物を撮像して得た撮像画像と前記撮像装置の位置に関する第１位置関連情報とを対応付けて管理する管理部と、
前記対象人物が所持する端末装置の位置に関する第２位置関連情報を前記端末装置から取得する取得部と、
前記第１位置関連情報と前記第２位置関連情報との比較の結果と、前記撮像画像に写った人物の顔と前記顔情報との比較の結果とに基づいて、前記撮像画像に写った人物が前記対象人物であるか否かを判定する判定部と、を備える
情報処理装置。
【請求項２】
前記判定部は、
前記第１位置関連情報と前記第２位置関連情報とが第１一致条件を満たし、且つ、前記撮像画像に写った人物の顔と前記顔情報とが第２一致条件を満たす場合、前記撮像画像に写った人物が前記対象人物であると判定し、
前記第１一致条件及び前記第２一致条件のうち少なくとも１つが満たされない場合、前記撮像画像に写った人物が前記対象人物でないと判定する
請求項１に記載の情報処理装置。
【請求項３】
前記判定部は、
前記第１位置関連情報と前記第２位置関連情報とを比較する第１処理と、
前記第１処理において前記第１位置関連情報と前記第２位置関連情報とが前記第１一致条件を満たす場合、前記撮像画像に写った人物の顔と前記顔情報とを比較する第２処理と、
前記第２処理において前記撮像画像に写った人物の顔と前記顔情報とが前記第２一致条件を満たす場合、前記撮像画像に写った人物が前記対象人物であると判定する第３処理と、を実行する
請求項２に記載の情報処理装置。
【請求項４】
前記第１位置関連情報及び前記第２位置関連情報のそれぞれは、所定のエリアごとに提供されるエリア識別子を含み、
前記第１一致条件は、前記第１位置関連情報に対応するエリア識別子と前記第２位置関連情報に対応するエリア識別子とが一致するという条件である
請求項２又は３に記載の情報処理装置。
【請求項５】
前記第１位置関連情報及び前記第２位置関連情報のそれぞれは、ＧＮＳＳを用いて得られるＧＮＳＳ位置情報を含み、
前記第１一致条件は、前記第１位置関連情報に対応するＧＮＳＳ位置情報と前記第２位置関連情報に対応するＧＮＳＳ位置情報との差が所定値以内であるという条件である
請求項２又は３に記載の情報処理装置。
【請求項６】
前記第１位置関連情報及び前記第２位置関連情報のそれぞれは、測定された加速度を示す加速度情報を含み、
前記第１一致条件は、前記第１位置関連情報に対応する加速度情報と前記第２位置関連情報に対応する加速度情報とが一致又は類似するという条件である
請求項２又は３に記載の情報処理装置。
【請求項７】
前記第１位置関連情報及び前記第２位置関連情報のそれぞれは、集音された音声を示す音声情報を含み、
前記第１一致条件は、前記第１位置関連情報に対応する音声情報と前記第２位置関連情報に対応する音声情報とが一致又は類似するという条件である
請求項２又は３に記載の情報処理装置。
【請求項８】
前記管理部は、前記撮像画像と、前記第１位置関連情報と、前記撮像時の時刻を示す第１時間情報とを対応付けて管理し、
前記取得部は、前記端末装置から、前記第２位置関連情報に対応する位置に前記端末装置が存在した時刻を示す第２時間情報をさらに取得し、
前記判定部は、
前記第１位置関連情報と前記第２位置関連情報との比較の結果と、前記第１時間情報と前記第２時間情報との比較の結果と、前記撮像画像に写った人物の顔と前記顔情報との比較の結果とに基づいて、前記撮像画像に写った人物が前記対象人物であるか否かを判定する
請求項１に記載の情報処理装置。
【請求項９】
前記判定部は、
前記第１位置関連情報と前記第２位置関連情報とが第１一致条件を満たし、前記撮像画像に写った人物の顔と前記顔情報とが第２一致条件を満たし、且つ、前記第１時間情報と前記第２時間情報とが第３一致条件を満たす場合、前記撮像画像に写った人物が前記対象人物であると判定し、
前記第１一致条件、前記第２一致条件、及び前記第３一致条件のうち少なくとも１つが満たされない場合、前記撮像画像に写った人物が前記対象人物でないと判定する
請求項８に記載の情報処理装置。
【請求項１０】
対象人物に対して画像を配信するための情報処理方法であって、
前記対象人物の顔に関する顔情報を記憶するステップと、
撮像装置が人物を撮像して得た撮像画像と前記撮像装置の位置に関する第１位置関連情報とを対応付けて管理するステップと、
前記対象人物が所持する端末装置の位置に関する第２位置関連情報を前記端末装置から取得するステップと、
前記第１位置関連情報と前記第２位置関連情報との比較の結果と、前記撮像画像に写った人物の顔と前記顔情報との比較の結果とに基づいて、前記撮像画像に写った人物が前記対象人物であるか否かを判定するステップと、を備える
情報処理方法。
【請求項１１】
請求項１０に記載の情報処理方法を情報処理装置に実行させる
情報処理プログラム。
【発明の詳細な説明】
【技術分野】
【０００１】
本発明は、情報処理装置、情報処理方法、及び情報処理プログラムに関する。
【背景技術】
【０００２】
特許文献１には、人物が写った撮像画像をその被写体となった人物宛に配信する情報処理装置が記載されている。
【０００３】
この情報処理装置は、人物の顔画像とこの人物の送信先の電子メールアドレスとを予め登録しており、人物が写った撮像画像が端末装置からアップロードされると、この撮像画像に写った人物の顔と登録された顔画像とを比較して配信先の人物を特定する。そして、情報処理装置は、撮像画像を添付した電子メール又は画像をダウンロードするためのＵＲＬを添付した電子メールを生成し、特定した人物に対応する電子メールアドレスに宛てて送信する。
【先行技術文献】
【特許文献】
【０００４】
【特許文献１】特開２００４−３２６２８１号公報
【発明の概要】
【発明が解決しようとする課題】
【０００５】
しかしながら、撮像画像に写った人部の顔は必ずしも鮮明ではなく、且つ顔認証の精度には限界があるため、画像に写った人物の顔が誤認識されうる。特許文献１に記載の方法では、撮像画像に写った人物の顔が誤認識された場合、誤った人物に対して画像が配信されてしまう問題があった。
【０００６】
そこで、本発明は、適切な人物に対して撮像画像を配信することが可能な情報処理装置、情報処理方法、及び情報処理プログラムを提供することを目的とする。
【課題を解決するための手段】
【０００７】
第１の態様に係る情報処理装置は、対象人物に対して画像を配信するための装置である。前記情報処理装置は、前記対象人物の顔に関する顔情報を記憶する記憶部と、撮像装置が人物を撮像して得た撮像画像と前記撮像装置の位置に関する第１位置関連情報とを対応付けて管理する管理部と、前記対象人物が所持する端末装置の位置に関する第２位置関連情報を前記端末装置から取得する取得部と、前記第１位置関連情報と前記第２位置関連情報との比較の結果と、前記撮像画像に写った人物の顔と前記顔情報との比較の結果とに基づいて、前記撮像画像に写った人物が前記対象人物であるか否かを判定する判定部とを備える。
【０００８】
第２の態様に係る情報処理方法は、対象人物に対して画像を配信するための方法である。前記情報処理方法は、前記対象人物の顔に関する顔情報を記憶するステップと、撮像装置が人物を撮像して得た撮像画像と前記撮像装置の位置に関する第１位置関連情報とを対応付けて管理するステップと、前記対象人物が所持する端末装置の位置に関する第２位置関連情報を前記端末装置から取得するステップと、前記第１位置関連情報と前記第２位置関連情報との比較の結果と、前記撮像画像に写った人物の顔と前記顔情報との比較の結果とに基づいて、前記撮像画像に写った人物が前記対象人物であるか否かを判定するステップとを備える。
【０００９】
第３の態様に係る情報処理プログラムは、第２の態様に係る情報処理方法を情報処理装置に実行させる。
【発明の効果】
【００１０】
本発明の一態様によれば、適切な人物に対して撮像画像を配信することが可能な情報処理装置、情報処理方法、及び情報処理プログラムを提供できる。
【図面の簡単な説明】
【００１１】
【図１】一実施形態に係る画像配信システムを示す図である。
【図２】一実施形態に係る端末装置を示す図である。
【図３】一実施形態に係る撮像装置を示す図である。
【図４】一実施形態に係るサーバ装置を示す図である。
【図５】一実施形態に係るサーバ装置に記憶される情報の一例を示す図である。
【図６】一実施形態に係る画像配信システムの動作例を示す図である。
【図７】一実施形態に係る画像配信システムの動作の具体例を示す図である。
【発明を実施するための形態】
【００１２】
図面を参照して実施形態について説明する。図面の記載において、同一又は類似の部分には同一又は類似の符号を付している。
【００１３】
（画像配信システムの一例）
図１は、一実施形態に係る画像配信システム１を示す図である。
【００１４】
一実施形態に係る画像配信システム１は、テーマパークの来場者に対して、テーマパークのスタッフにより撮像された画像又はテーマパークのアトラクションにおいて自動で撮像された画像を配信するためのシステムである。撮像及び配信する画像としては静止画像を主として想定するが、撮像及び配信する画像は動画像であってもよい。
【００１５】
図１に示すように、画像配信システム１は、端末装置１００と、撮像装置２００と、サーバ装置３００とを有する。サーバ装置３００は、対象人物に対して画像を配信するための情報処理装置の一例である。図１において、端末装置１００及び撮像装置２００のそれぞれを１つ図示しているが、端末装置１００及び撮像装置２００のそれぞれは複数存在していてもよい。
【００１６】
端末装置１００は、テーマパークの来場者が所持又は着用する装置である。端末装置１００は、腕又は頭等に取り付け可能なウェアラブル端末であってもよい。或いは、端末装置１００は、スマートフォン又はタブレット端末等であってもよい。
【００１７】
端末装置１００のユーザは、個人情報（ユーザＩＤ及び自身の顔画像等）をサーバ装置３００に予め登録する。ユーザは、端末装置１００を購入又は借り受けた際に、個人情報をサーバ装置３００に登録してもよい。
【００１８】
その後、ユーザは、端末装置１００を所持又は着用してテーマパークに来場する。端末装置１００は、端末装置１００の位置に関する位置関連情報を取得する。端末装置１００は、基地局１１との無線通を行うと共に、基地局１１及び通信ネットワーク１０を介して、取得された位置関連情報をサーバ装置３００にアップロードする。
【００１９】
撮像装置２００は、テーマパークのスタッフが所持するデジタルカメラ又はテーマパークのアトラクションに設置されるデジタルカメラである。撮像装置２００は、スマートフォンであってもよい。撮像装置２００は、テーマパークに来場した人物を撮像する。撮像装置２００は、人物を撮像して得た撮像画像と撮像装置２００の位置に関する位置関連情報と対応付ける。
【００２０】
撮像装置２００は、通信ネットワーク１０を介して、撮像画像及び対応する位置関連情報をサーバ装置３００にアップロードする。撮像装置２００により得られた撮像画像及び対応する位置関連情報は、撮像装置２００以外の外部装置に一旦保存された後、外部装置から通信ネットワーク１０を介してサーバ装置３００にアップロードされてもよい。
【００２１】
サーバ装置３００は、撮像装置２００により得られた撮像画像を収集し、収集された撮像画像を配信するための装置である。サーバ装置３００は、画像配信対象のユーザ（対象人物）の顔に関する顔情報を予め記憶している。また、サーバ装置３００は、撮像装置２００が人物を撮像して得た撮像画像と、撮像装置２００の位置に関する位置関連情報とを対応付けて管理する。
【００２２】
サーバ装置３００は、端末装置１００の位置に関する位置関連情報と撮像装置２００の撮像位置に関する位置関連情報との比較の結果と、撮像画像に写った人物の顔と顔情報との比較の結果とに基づいて、撮像画像に写った人物が対象人物であるか否かを判定する。サーバ装置３００は、撮像画像に写った人物が対象人物であると判定されると、この撮像画像と対象人物のユーザＩＤとを対応付ける。
【００２３】
サーバ装置３００は、撮像画像を来場者に限定公開する。例えば、サーバ装置３００は、画像配信用のＷｅｂサイトにアクセスしたユーザ（来場者）に対して、このユーザと対応付けられた撮像画像をＷｅｂサイト上でこのユーザに配信する。或いは、サーバ装置３００は、電子メールまたはＳＮＳ（Ｓｏｃｉａｌ  Ｎｅｔｗｏｒｋｉｎｇ  Ｓｅｒｖｉｃｅ）などを用いて撮像画像を配信してもよい。この撮像画像の配信サービスでは、サーバ装置３００の管理者、または配信サービスの管理者、仲介者、関係者などに対し、撮像画像の配信を受ける対価としてユーザが金銭を支払うシステムが用いられてもよい。
【００２４】
このように、撮像画像に写った人物が対象人物であるか否かを判定する際に位置関連情報を考慮することにより、判定の精度を向上させることができる。このため、撮像画像に写った人部の顔が鮮明ではないような場合であっても、適切な人物に対して撮像画像を配信することが可能である。
【００２５】
（端末装置の一例）
図２は、一実施形態に係る端末装置１００を示す図である。
【００２６】
図２に示すように、端末装置１００は、第１通信部１１０と、制御部１３０と、記憶部１４０と、電源管理部１５０とを有する。また、端末装置１００は、第２通信部１２０、ＧＮＳＳ受信機１６０、加速度センサ１７０、及びマイク１８０のうち少なくとも１つを有する。
【００２７】
第１通信部１１０は、基地局１１との無線通信を行う。第１通信部１１０は、ＬＰＷＡ（Ｌｏｗ  Ｐｏｗｅｒ  Ｗｉｄｅ  Ａｒｅａ）方式の無線通信を基地局１１と行ってもよい。ＬＰＷＡ方式は、消費電力を抑えつつ遠距離の無線通信を実現する方式である。ＬＰＷＡ方式は、例えば、セルラＬＰＷＡ、ＳＩＧＦＯＸ、又はＬｏＲａＷＡＮである。
【００２８】
第１通信部１１０は、アンテナ１１１と、受信機１１２と、送信機１１３とを含む。受信機１１２は、アンテナ１１１が受信した無線信号に対して増幅処理及びフィルタ処理等を行い、無線信号をベースバンド信号に変換して制御部１３０に出力する。送信機１１３は、制御部１３０から入力されたベースバンド信号を無線信号に変換し、増幅処理等を行ってアンテナ１１１から無線信号を送信する。
【００２９】
第２通信部１２０は、エリアＩＤを取得し、取得されたエリアＩＤを制御部１３０に出力する。エリアＩＤは、テーマパーク内の所定のエリアごとに提供されるエリア識別子である。
【００３０】
第２通信部１２０は、テーマパーク内の所定のエリアごとに設置されたビーコン装置から、ブルートゥース（登録商標）又はＮＦＣ等の近距離無線通信によりエリアＩＤを取得する。或いは、第２通信部１２０は、端末装置１００のユーザがマニュアルで入力したエリアＩＤを取得してもよい。
【００３１】
制御部１３０は、端末装置１００における各種の処理及び制御を行う。制御部１３０は、少なくとも１つのプロセッサを含む。プロセッサは、ベースバンドプロセッサと、ＣＰＵ（Ｃｅｎｔｒａｌ  Ｐｒｏｃｅｓｓｉｎｇ  Ｕｎｉｔ）とを含む。ベースバンドプロセッサは、第１通信部１１０と入出力するベースバンド信号の変調・復調等を行う。ＣＰＵは、記憶部１４０に記憶されたプログラムを実行して各種の処理を行う。
【００３２】
記憶部１４０は、揮発性メモリ及び不揮発性メモリを含む。記憶部１４０は、制御部１３０により実行されるプログラムと、制御部１３０による処理に用いられる情報とを記憶する。また、記憶部１４０は、端末装置１００に固有の端末ＩＤを予め記憶している。
【００３３】
電源管理部１５０は、バッテリ及びその周辺回路を含む。電源管理部１５０は、端末装置１００の駆動電力を供給する。バッテリは、端末装置１００に着脱可能な使い捨てのタイプであってもよいし、充電が可能な蓄電池（二次電池）であってもよい。
【００３４】
ＧＮＳＳ受信機１６０は、端末装置１００の位置を示すＧＮＳＳ位置情報を取得し、取得されたＧＮＳＳ位置情報を制御部１３０に出力する。ＧＮＳＳ受信機は、ＧＰＳ（Ｇｌｏｂａｌ  Ｐｏｓｉｔｉｏｎｉｎｇ  Ｓｙｓｔｅｍ）受信機、ＧＬＯＮＡＳＳ（Ｇｌｏｂａｌ  Ｎａｖｉｇａｔｉｏｎ  Ｓａｔｅｌｌｉｔｅ  Ｓｙｓｔｅｍ）受信機、ＩＲＮＳＳ（Ｉｎｄｉａｎ  Ｒｅｇｉｏｎａｌ  Ｎａｖｉｇａｔｉｏｎａｌ  Ｓａｔｅｌｌｉｔｅ  Ｓｙｓｔｅｍ）受信機、ＣＯＭＰＡＳＳ受信機、Ｇａｌｉｌｅｏ受信機、及びＱＺＳＳ（Ｑｕａｓｉ−Ｚｅｎｉｔｈ  Ｓａｔｅｌｌｉｔｅｓ  Ｓｙｓｔｅｍ）受信機のうち少なくとも１つを含む。
【００３５】
加速度センサ１７０は、端末装置１００に加わる加速度を測定し、測定された加速度を制御部１３０に出力する。加速度センサ１７０は、端末装置１００の移動方向や上下・左右等の方向の加速度を測定するために複数の加速度センサを含んでもよい。
【００３６】
マイク１８０は、音声を集音し、集音された音声に応じた音声情報を制御部１３０に出力する。
【００３７】
このような端末装置１００において、制御部１３０は、記憶部１４０に記憶されたプログラムを実行することにより、アップロード部１３１と動作制御部１３２とを構成する。
【００３８】
アップロード部１３１は、端末装置１００の位置に関する位置関連情報と、この位置関連情報に対応する位置に端末装置１００が存在した時刻を示す時間情報（タイムスタンプ）とを対応付け、端末ＩＤと位置関連情報と時間情報とのセットを端末情報として、第１通信部１１０を介して定期的にサーバ装置３００にアップロードする。
【００３９】
或いは、アップロード部１３１は、位置関連情報と時間情報とのセットを定期的に記憶部１４０に記憶させ、記憶部１４０に記憶された複数セットの位置関連情報及び時間情報を、端末装置ＩＤと共に一括してサーバ装置３００にアップロードしてもよい。
【００４０】
ここで、位置関連情報は、第２通信部１２０により取得されるエリアＩＤ、ＧＮＳＳ受信機１６０により得られるＧＮＳＳ位置情報、加速度センサ１７０により測定される加速度を示す加速度情報、マイク１８０により集音された音声を示す音声情報のうち少なくとも１つを含む。
【００４１】
動作制御部１３２は、マイク１８０からの音声情報に含まれる音声を認識し、認識された音声に応じて、ＧＮＳＳ受信機１６０及び加速度センサ１７０の動作のオン／オフを制御する。
【００４２】
ＧＮＳＳ位置情報の取得及び加速度情報の取得を継続すると端末装置１００の消費電流が大きくなる。このため、動作制御部１３２は、特定音声及び特定ＢＧＭを認識したことに応じて、ＧＮＳＳ受信機１６０及び加速度センサ１７０の少なくとも一方の動作をオン又はオフにする。特定音声及び特定ＢＧＭは、例えば、アトラクションスタッフの「○○へようこそ」、「○○のご体験ありがとうございました」という呼びかけや、アトラクション固有の音楽を指す。これは、テーマパーク等、一定の範囲内で行動をし、特定の場所に留まり続ける（並び続ける）ことが多い時に有効である。
【００４３】
（撮像装置の一例）
図３は、一実施形態に係る撮像装置２００を示す図である。以下において、撮像装置２００がテーマパークのスタッフに所持される場合を主として想定する。また、撮像装置２００の構成において、端末装置１００の構成と同様な部分については説明を適宜省略する。
【００４４】
図３に示すように、撮像装置２００は、撮像部２０１と、第１通信部２１０と、制御部２３０と、記憶部２４０と、電源管理部２５０とを有する。また、撮像装置２００は、第２通信部２２０、ＧＮＳＳ受信機２６０、及びマイク２７０のうち少なくとも１つを有する。
【００４５】
但し、撮像装置２００がアトラクション内に固定されているような場合、エリアＩＤ、ＧＮＳＳ位置情報、及び音声情報を撮像装置２００の位置関連情報として予めサーバ装置３００に登録可能であるため、第２通信部２２０、ＧＮＳＳ受信機２６０、及びマイク２７０を不要としてもよい。
【００４６】
撮像部２０１は、人物を撮像し、撮像して得た撮像画像を制御部２３０に出力する。撮像部２０１は、撮像素子及び画像処理回路を含んで構成される。
【００４７】
第１通信部２１０は、サーバ装置３００との通信を行う。第１通信部２１０は、無線通信を介してサーバ装置３００との通信を行ってもよい。
【００４８】
第２通信部２２０は、エリアＩＤを取得し、取得されたエリアＩＤを制御部２３０に出力する。
【００４９】
制御部２３０は、撮像装置２００における各種の処理及び制御を行う。制御部２３０は、少なくとも１つのプロセッサを含む。プロセッサは、ＣＰＵを含む。ＣＰＵは、記憶部２４０に記憶されたプログラムを実行して各種の処理を行う。
【００５０】
記憶部２４０は、揮発性メモリ及び不揮発性メモリを含む。記憶部２４０は、制御部２３０により実行されるプログラムと、制御部２３０による処理に用いられる情報とを記憶する。また、記憶部１４０は、端末装置１００に固有の撮像装置ＩＤを予め記憶している。
【００５１】
電源管理部２５０は、バッテリ及びその周辺回路を含む。電源管理部２５０は、撮像装置２００の駆動電力を供給する。バッテリは、撮像装置２００に着脱可能な使い捨てのタイプであってもよいし、充電が可能な蓄電池（二次電池）であってもよい。
【００５２】
ＧＮＳＳ受信機２６０は、撮像装置２００の位置を示すＧＮＳＳ位置情報を取得し、取得されたＧＮＳＳ位置情報を制御部２３０に出力する。
【００５３】
マイク２７０は、音声を集音し、集音された音声に応じた音声情報を制御部２３０に出力する。
【００５４】
このような撮像装置２００において、制御部２３０は、記憶部２４０に記憶されたプログラムを実行することにより、アップロード部２３１を構成する。
【００５５】
アップロード部２３１は、撮像画像と、この撮像画像の撮像時の撮像装置２００の位置に関する位置関連情報と、この位置関連情報に対応する位置に撮像装置２００が存在した時刻を示す時間情報（タイムスタンプ）とを対応付け、撮像装置ＩＤと撮像画像と位置関連情報と時間情報とのセットを画像情報として、第１通信部２１０を介して定期的にサーバ装置３００にアップロードする。
【００５６】
或いは、アップロード部２３１は、撮像画像と位置関連情報と時間情報とのセットを定期的に記憶部２４０に記憶させ、記憶部２４０に記憶された複数セットの画像情報、位置関連情報、及び時間情報を、撮像装置ＩＤと共に一括してサーバ装置３００にアップロードしてもよい。
【００５７】
ここで、位置関連情報は、第２通信部２２０により取得されるエリアＩＤ、ＧＮＳＳ受信機２６０により得られるＧＮＳＳ位置情報、マイク２７０により集音された音声を示す音声情報のうち少なくとも１つを含む。
【００５８】
（サーバ装置の一例）
図４は、一実施形態に係るサーバ装置３００を示す図である。
【００５９】
図４に示すように、サーバ装置３００は、第１通信部３１０と、制御部３２０と、記憶部３３０とを有する。
【００６０】
第１通信部３１０は、通信ネットワーク１０を介して端末装置１００及び撮像装置２００との通信を行う。
【００６１】
制御部３２０は、サーバ装置３００における各種の処理及び制御を行う。制御部３２０は、少なくとも１つのプロセッサを含む。プロセッサは、ＣＰＵを含む。ＣＰＵは、記憶部３３０に記憶されたプログラムを実行して各種の処理を行う。
【００６２】
記憶部３３０は、揮発性メモリ、不揮発性メモリ、及び補助記憶装置を含む。記憶部３３０は、制御部３２０により実行されるプログラムと、制御部３２０による処理に用いられる情報とを記憶する。
【００６３】
図５は、一実施形態に係るサーバ装置３００の記憶部３３０に記憶される情報の一例を示す図である。
【００６４】
図５に示すように、記憶部３３０は、端末装置１００のユーザ（対象人物）により登録されたユーザ情報と、撮像装置２００から取得された画像情報と、端末装置１００から取得された端末情報と、ユーザに配信する配信情報とを記憶する。
【００６５】
ユーザ情報は、ユーザのユーザＩＤと、このユーザが所持する端末装置１００の端末ＩＤと、このユーザの顔画像に応じた顔情報とを対応付けた情報である。顔情報は、顔画像から抽出された特徴量を示す情報であってもよい。
【００６６】
画像情報は、撮像装置２００の撮像装置ＩＤと、撮像装置２００から取得された位置関連情報（第１位置関連情報）、時間情報（第１時間情報）、及び撮像画像とを対応付けた情報である。
【００６７】
端末情報は、端末装置１００の端末ＩＤと、端末装置１００から取得された位置関連情報（第２位置関連情報）及び時間情報（第２時間情報）とを対応付けた情報である。
【００６８】
配信情報は、ユーザのユーザＩＤと、ユーザに配信する撮像画像とを対応付けた情報である。
【００６９】
このようなサーバ装置３００において、制御部３２０は、記憶部３３０に記憶されたプログラムを実行することにより、図４に示すように、管理部３２１と、取得部３２２と、判定部３２３と、配信部３２４とを構成する。
【００７０】
管理部３２１は、記憶部３３０に記憶される情報（図５参照）を管理する。例えば、管理部３２１は、撮像装置２００が人物を撮像して得た撮像画像と、撮像装置２００の位置に関する第１位置関連情報と、撮像時の時刻を示す第１時間情報とを対応付けて管理する。
【００７１】
取得部３２２は、撮像装置２００から画像情報を取得し、端末装置１００から端末情報を取得する。例えば、取得部３２２は、端末装置１００の位置に関する第２位置関連情報と、第２位置関連情報に対応する位置に端末装置１００が存在した時刻を示す第２時間情報とを端末装置１００から取得する。
【００７２】
判定部３２３は、各撮像画像について、画像情報と端末情報とに基づいて、この撮像画像が得られた位置・時間に存在していた端末装置１００の端末ＩＤを特定し、抽出された端末ＩＤに対応するユーザ（ユーザＩＤ）をユーザ情報に基づいて特定する。すなわち、判定部３２３は、撮像画像ごとに、その撮像位置及び撮像時間に存在していたユーザを特定する。
【００７３】
そして、判定部３２３は、この撮像画像に写った人物の顔と、特定されたユーザ（ユーザＩＤ）の顔情報とを比較（具体的には、顔認証により照合）して、一致すると判定した場合に、この撮像画像に写った人物がこのユーザ（対象人物）であると判定する。
【００７４】
このように、位置・時間をキーにして候補ユーザを絞り込んだ後、この候補ユーザについて顔認証を行うことにより、誤った顔認識がなされる可能性を低減できる。また、全ての撮像画像について全てのユーザを候補として顔認証を行うと演算処理量が膨大になり得るが、位置・時間をキーにして候補ユーザを絞り込んだ後に顔認証を行うことにより、演算処理量の増大を抑制できる。
【００７５】
配信部３２４は、判定部３２３の判定結果に基づいて、ユーザごとに１又は複数の撮像画像を対応付けることにより、図５に示す配信情報を生成する。例えば、配信部３２４は、画像配信用のＷｅｂサイトにアクセスしたユーザ（来場者）に対して、このユーザと対応付けられた撮像画像をＷｅｂサイト上でこのユーザに限定公開することで配信する。
【００７６】
（画像配信システムの動作例）
図６は、一実施形態に係る画像配信システム１の動作例を示す図である。
【００７７】
図６に示すように、ステップＳ１において、撮像装置２００は、画像情報をサーバ装置３００にアップロードする。画像情報は、撮像装置ＩＤと第１位置関連情報と第１時間情報と撮像画像とを対応付けた情報である（図５参照）。但し、第１位置関連情報は、サーバ装置３００が予め記憶していてもよい。サーバ装置３００は、撮像装置２００からアップロードされた画像情報を記憶する。
【００７８】
ステップＳ２において、ユーザ（対象人物）が所持する端末装置１００は、端末情報をサーバ装置３００にアップロードする。端末情報は、端末ＩＤと第２位置関連情報と第２時間情報とを対応付けた情報である（図５参照）。サーバ装置３００は、端末装置１００からアップロードされた端末情報を記憶する。
【００７９】
ステップＳ３において、サーバ装置３００（判定部３２３）は、第１位置関連情報と第２位置関連情報とを比較するとともに、第１時間情報と第２時間情報とを比較する（第１処理）。
【００８０】
具体的には、サーバ装置３００（判定部３２３）は、第１位置関連情報と第２位置関連情報とが一致条件を満たし、且つ、第１時間情報と第２時間情報とが一致条件を満たすかを確認する。第１位置関連情報と第２位置関連情報とが一致条件を満たし、且つ第１時間情報と第２時間情報とが一致条件を満たす場合、サーバ装置３００（判定部３２３）は、撮像画像に写った人物の候補として端末装置１００のユーザを抽出し、処理をステップＳ４に進める。
【００８１】
一方、第１位置関連情報と第２位置関連情報との一致条件、及び第１時間情報と第２時間情報との一致条件のうち少なくとも１つが満たされない場合、サーバ装置３００（判定部３２３）は、端末装置１００のユーザが撮像画像に写った人物ではないと判定し、処理をステップＳ４に進めない。
【００８２】
ここで、第１時間情報と第２時間情報との一致条件は、第１時間情報に対応する時刻と第２位置関連情報に対応する時刻との差が所定値以内であるという条件であってもよい。
【００８３】
第１位置関連情報と第２位置関連情報との一致条件（第１一致条件）は、以下のように定めることができる。
【００８４】
第１位置関連情報及び第２位置関連情報のそれぞれがエリアＩＤを含む場合、一致条件は、第１位置関連情報に対応するエリアＩＤと第２位置関連情報に対応するエリアＩＤとが一致するという条件であってもよい。
【００８５】
第１位置関連情報及び第２位置関連情報のそれぞれがＧＮＳＳ位置情報を含む場合、一致条件は、第１位置関連情報に対応するＧＮＳＳ位置情報と第２位置関連情報に対応するＧＮＳＳ位置情報との差が所定値以内であるという条件であってもよい。
【００８６】
第１位置関連情報及び第２位置関連情報のそれぞれが加速度情報を含む場合、一致条件は、第１位置関連情報に対応する加速度情報と第２位置関連情報に対応する加速度情報とが一致又は類似するという条件であってもよい。第１位置関連情報に対応する加速度情報は、例えばアトラクションに固有の加速度の推移（すなわち、アトラクションの動き）を示す情報であって、サーバ装置３００に予め記憶されていてもよい。
【００８７】
第１位置関連情報及び第２位置関連情報のそれぞれが音声情報を含む場合、一致条件は、第１位置関連情報に対応する音声情報と第２位置関連情報に対応する音声情報とが一致又は類似するという条件であってもよい。第１位置関連情報に対応する音声情報は、例えばアトラクションに固有の音声又はＢＧＭを示す情報であって、サーバ装置３００に予め記憶されていてもよい。
【００８８】
ステップＳ４において、サーバ装置３００（判定部３２３）は、撮像画像に写った人物の顔と、端末装置１００のユーザの顔情報とを比較して顔認証を行う（第２処理）。
【００８９】
撮像画像に写った人物の顔と顔情報とが一致条件を満たす場合、サーバ装置３００（判定部３２３）は、撮像画像に写った人物が端末装置１００のユーザ（対象人物）であると判定する（第３処理）。
【００９０】
一方、撮像画像に写った人物の顔と顔情報とが一致条件を満たさない場合、サーバ装置３００（判定部３２３）は、撮像画像に写った人物が端末装置１００のユーザではないと判定する。
【００９１】
撮像画像に写った人物が端末装置１００のユーザ（対象人物）であると判定された場合、ステップＳ５において、サーバ装置３００（配信部３２４）は、撮像画像とこのユーザとを対応付けて記憶する。
【００９２】
図７は、一実施形態に係る画像配信システム１の動作の具体例を示す図である。図７において、撮像画像を単に「写真」と表記している。また、図７において、位置関連情報がエリアＩＤである一例を示している。
【００９３】
図７に示すように、複数の撮像画像として写真１乃至４が得られている。写真１乃至４のそれぞれに第１位置関連情報（エリアＩＤ）及び第１時間情報が対応付けられている。一方、複数の端末装置１００に対応する複数のユーザとして、来場者１乃至４のそれぞれに第２位置関連情報（エリアＩＤ）及び第２時間情報が対応付けられている。このような場合において、サーバ装置３００は、来場者１に対して写真３を割り当て、来場者２に対して写真２を割り当てる。
【００９４】
（その他の実施形態）
撮像装置２００の第２通信部２２０は、テーマパーク内の所定のエリアごとに設置されたビーコン装置に、撮像装置ＩＤを含む信号を送信してもよい。各ビーコン装置は固有のビーコンＩＤを記憶しており、撮像装置２００から撮像装置ＩＤと撮像画像とを含む信号を取得すると、ビーコンＩＤ（第１ビーコンＩＤ）、撮像装置ＩＤ、撮像画像、及び撮像装置ＩＤ及び撮像画像の取得に応じて算出された時間情報（第１時間情報）を含む第１ビーコン情報をサーバ装置３００にアップロードする。時間情報（第１時間情報）は、撮像画像の撮像に応じて、または端末ＩＤおよび撮像画像送信の直前に撮像装置２００が計時したものであってもよい。
【００９５】
同様に、端末装置１００の第２通信部１２０は、テーマパーク内の所定のエリアごとに設置されたビーコン装置に、端末ＩＤを含む信号を送信してもよい。各ビーコン装置は、端末装置１００から端末ＩＤを含む信号を取得すると、ビーコンＩＤ（第２ビーコンＩＤ）、端末ＩＤ、端末ＩＤの取得に応じて算出された時間情報（第２時間情報）とを含む第２ビーコン情報をサーバ装置３００にアップロードする。時間情報（第２時間情報）は、端末ＩＤ送信の直前に端末装置１００が計時したものであってもよい。
【００９６】
第１ビーコン情報は、上述の画像情報に相当し、第２ビーコン情報は、上述の端末情報に相当する。また、ビーコン情報の中のビーコンＩＤは、上述した位置関連情報に相当する。サーバ装置３００は、端末情報及び画像情報の代わりに第１ビーコン情報及び第２ビーコン情報を用いて、すなわち、ユーザ情報、第１ビーコン情報、及び第２ビーコン情報に基づいて、撮像画像に写った人物が端末装置１００のユーザであるか否かを判定することができる。すなわち、サーバ装置３００は、第１ビーコン情報と第２ビーコン情報とが一致条件を満たし、且つ、第１時間情報と第２時間情報とが一致条件を満たすと判定すると、撮像画像に写った人物の候補として端末装置１００のユーザを抽出することができる。そして、サーバ装置３００は、撮像画像に写った人物の顔とユーザ情報に含まれる顔情報とが一致条件を満たすと判定すると、撮像画像に写った人物が端末装置１００のユーザ（対象人物）であると特定できる。
【００９７】
ビーコン装置が時間情報を算出する場合において、ビーコン装置は、所定値以内の時刻差で送られてきた撮像装置ＩＤ及び撮像画像、並びに端末ＩＤをグループとしてサーバ装置３００にアップロードしてもよい。或いは、撮像装置２００及び端末装置１００が時間情報を送信する場合において、ビーコン装置は、それぞれの時間情報が一致条件を満たす場合に、撮像装置ＩＤ及び撮像画像、並びに端末ＩＤをグループとしてサーバ装置３００にアップロードしてもよい。サーバ装置３００は、同一のグループに属する撮像装置ＩＤ、撮像画像、及び端末ＩＤと、ユーザ情報とに基づいて、撮像画像に写った人物が端末装置１００のユーザであるか否かを判定することができる。つまり、サーバ装置３００は、撮像画像に写った人物の顔とユーザ情報に含まれる顔情報とが一致条件を満たすと判定すると、撮像画像に写った人物が端末装置１００のユーザ（対象人物）であると特定できる。このような処理により撮像画像に写った人物が特定される場合、サーバ装置３００は、第１位置関連情報と第２位置関連情報とが一致条件を満たすか、及び第１時間情報と第２時間情報とが一致条件を満たすか判定する必要はない。
【００９８】
なお、撮像装置２００がアトラクション内に固定されているような場合、撮像装置２００がビーコン装置としての機能を有してもよい。つまり、一実施形態に係る画像配信システム１は、端末装置１００、サーバ装置３００、及び撮像機能を有するビーコン装置によって構成されてもよい。ビーコン装置は、撮像画像の撮像時刻と端末ＩＤの取得時刻の時刻差が所定値以内である場合に、撮像画像及び端末ＩＤをグループとしてサーバ装置３００にアップロードしてもよい。サーバ装置３００は、同一のグループに属する撮像画像及び端末ＩＤと、ユーザ情報とに基づいて、撮像画像に写った人物が端末装置１００のユーザであるか否かを判定することができる。
【００９９】
上述した実施形態において、画像配信システム１がテーマパーク内で得られた撮像画像を配信する一例について説明したが、テーマパークに限定されるものではなく、観光地や娯楽施設等の任意の場所で得られた撮像画像を画像配信システム１が配信してもよい。
【０１００】
端末装置１００、撮像装置２００、又はサーバ装置３００が行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１０１】
以上、図面を参照して実施形態について詳しく説明したが、具体的な構成は上述のものに限られることはなく、要旨を逸脱しない範囲内において様々な設計変更等をすることが可能である。
【符号の説明】
【０１０２】
１        ：画像配信システム
１０      ：通信ネットワーク
１１      ：基地局
１００    ：端末装置
１１０    ：第１通信部
１１１    ：アンテナ
１１２    ：受信機
１１３    ：送信機
１２０    ：第２通信部
１３０    ：制御部
１３１    ：アップロード部
１３２    ：動作制御部
１４０    ：記憶部
１５０    ：電源管理部
１６０    ：ＧＮＳＳ受信機
１７０    ：加速度センサ
１８０    ：マイク
２００    ：撮像装置
２０１    ：撮像部
２１０    ：第１通信部
２２０    ：第２通信部
２３０    ：制御部
２３１    ：アップロード部
２４０    ：記憶部
２５０    ：電源管理部
２６０    ：ＧＮＳＳ受信機
２７０    ：マイク
３００    ：サーバ装置
３１０    ：通信部
３２０    ：制御部
３２１    ：管理部
３２２    ：取得部
３２３    ：判定部
３２４    ：配信部
３３０    ：記憶部
【図１】
2020101984.tif 000003
【図２】
2020101984.tif 000004
【図３】
2020101984.tif 000005
【図４】
2020101984.tif 000006
【図５】
2020101984.tif 000007
【図６】
2020101984.tif 000008
【図７】
2020101984.tif 000009